(57)【要約】【課題】本発明は多機能自撮り棒を開示した。【解決手段】ハンドルを含み、前記ハンドルの中には四つのＬ型ブロックスライド溝が左右前後対称に設置され、前記Ｌ型ブロックスライド溝の下端壁にはＬ型引掛り溝が設置され、前記Ｌ型ブロックスライド溝のうち前記ハンドルの中心から離れた一端が外部と連通しており、前記ハンドルの左右前後には四つの位置制限溝が対称に設置され、前記位置制限溝と前記Ｌ型ブロックスライド溝にはそれぞれ四つの同じの支持装置が設置され、前記支持装置が支持棒を含み、前記支持装置が前記支持棒によって固定され、前記ハンドルの上端には連結棒が設置され、前記連結棒の中には伸縮溝が設置され、前記伸縮溝の下端壁にはねじ山溝が設置され、前記伸縮溝の中には伸縮装置が設置され、前記伸縮装置は伸縮棒を含み、前記伸縮装置の長さを前記伸縮棒により調節できる。【選択図】図１
2020177208.tif 000002
【特許請求の範囲】
【請求項１】
正面視で、ハンドルを含み、前記ハンドルの中には四つのＬ型ブロックスライド溝が左右前後対称に設置され、前記Ｌ型ブロックスライド溝の下端壁にはＬ型引掛り溝が設置され、前記Ｌ型ブロックスライド溝のうち前記ハンドルの中心から離れた一端が外部と連通しており、前記ハンドルの左右前後には四つの位置制限溝が対称に設置され、前記位置制限溝と前記Ｌ型ブロックスライド溝にはそれぞれ四つの同じの支持装置が設置され、前記支持装置が支持棒を含み、前記支持装置が前記支持棒によって固定され、前記ハンドルの上端には連結棒が設置され、前記連結棒の中には伸縮溝が設置され、前記伸縮溝の下端壁にはねじ山溝が設置され、前記伸縮溝の中には伸縮装置が設置され、前記伸縮装置は伸縮棒を含み、前記伸縮装置の長さを前記伸縮棒により調節でき、前記伸縮棒の上端には固定装置が設置され、前記固定装置は右固定板と左固定板とを含み、前記固定装置は前記右固定板と前記左固定板とにより携帯を固定することで、撮影に便利を与え、前記左固定板の中には挟み板スライド溝が設置され、前記挟み板スライド溝の上端壁が外部と連通しており、前記挟みスライド溝の下端壁にはラックスライド溝が設置され、前記ラックスライド溝の下端壁には切換溝が設置され、前記切換溝の左端壁には外部と連通した押し棒スライド溝が設置され、前記切換溝の右端には長溝が設置され、前記長溝の右端壁には引掛りブロック引掛り溝が設置され、前記右固定板の中には前記引掛りブロック引掛り溝と連通できる引掛りブロックスライド溝が設置され、前記右固定板と前記左固定板の下端面には外部と連通したばねチャンバが設置されていることを特徴とする多機能自撮り棒。
【請求項２】
左方の前記支持装置を例として説明すれば、前記支持装置は前記ハンドルとスライド可能に連結されたヒンジ連結ブロックを含み、前記位置制限溝の中には前記ヒンジ連結ブロックと固定的に連結された位置制限ブロックがスライド可能に連結され、前記位置制限ブロックと前記位置制限溝の上端壁との間には位置制限ばねが連結され、前記ヒンジ連結ブロックの中にはヒンジ連結溝が設置され、前記ヒンジ連結溝の前後端壁にはヒンジ連結棒が回転可能に連結され、前記ヒンジ連結棒には固定棒が設置され、前記固定棒の中には支持棒溝が設置され、前記支持棒溝の間には連結溝が設置され、前記連結溝の左右端壁が外部と連通しており、前記支持棒と前記支持棒溝とがスライド可能に連結され、前記支持棒と前記支持棒溝の間には支持棒ばねが連結され、前記支持棒の中にはＬ型ブロックが設置され、前記Ｌ型ブロックは前記連結溝と、前記Ｌ型ブロックスライド溝と、前記Ｌ型ブロック引掛り溝とスライド可能に連結され、前記Ｌ型ブロックスライド溝の中には押し板がスライド可能に設置され、前記押し板と前記Ｌ型ブロックスライド溝の右端壁との間には押し板ばねが連結されていることを特徴とする請求項１に記載の多機能自撮り棒。
【請求項３】
前記伸縮装置は移動リングを含み、前記移動リングと前記伸縮装置とがスライド可能に連結され、前記移動リングと前記伸縮溝の上端壁との間には移動ばねが連結され、前記移動リングと前記伸縮棒とが回転可能に連結され、前記伸縮棒の下端にはねじ山リングが設置され、前記ねじ山リングと前記ねじ山溝とがねじ山により連結され、前記連結棒の右端面には小電球が設置されていることを特徴とする請求項１に記載の多機能自撮り棒。
【請求項４】
前記固定装置は回転軸を含み、前記回転軸と前記伸縮棒の前端面とが回転可能に連結され、前記回転軸と前記右固定板と前記左固定板とが回転可能に連結され、前記挟み板スライド溝の中には左挟み板がスライド可能に連結され、前記左挟み板の右端面には左座金が設置され、前記左挟み板と前記挟み板スライド溝の右端壁との間には挟み板ばねが連結され、前記ラックスライド溝の中には小ラックがスライド可能に連結され、前記切換溝の前後端壁には歯車軸が回転可能に連結され、前記歯車軸には前記小ラックと噛み合った歯車が設置され、前記押し棒スライド溝と、切換溝と前記長溝との中にはラック押し棒がスライド可能に連結され、前記ラック押し棒と前記歯車とが噛み合っており、前記ラック押し棒と前記切換溝の右端壁との間には復帰ばねが連結され、前記ラック押し棒が右に伸びて前記引掛りブロック引掛り溝の中に位置しており、前記引掛りブロックスライド溝の中には引掛りブロックがスライド可能に連結され、前記引掛りブロックと前記引掛りブロックスライド溝との間には引掛りブロックばねが連結され、前記右固定板の上端面には右挟み板は設置され、前記右挟み板の左端面には右座金が設置され、前記ばねチャンバの左右端には左ばね棒が対称的に設置され、前記左ばね棒の間には長ばねが連結されていることを特徴とする請求項１に記載の多機能自撮り棒。
【発明の詳細な説明】
【技術分野】
【０００１】
本発明は撮影分野に関し、具体的には多機能自撮り棒に関する。
【背景技術】
【０００２】
自撮り棒の登場で、他人の手を借りなくても自分で写真を撮られる。しかし伝統的な自撮り棒は機能が単一で、撮影しかできなく、三脚として使えない上に、携帯の固定も手数がかかるだけではなく、固定効果も悪く、しかも暗い環境で自撮りできないのである。
【先行技術文献】
【特許文献】
【０００３】
【特許文献１】中国特許出願公開第１０５４９１２９８号明細書
【発明の概要】
【発明が解決しようとする課題】
【０００４】
本発明の目的は多機能自撮り棒を提供し、それは上記の現在の技術中の問題を解決できる。
【課題を解決するための手段】
【０００５】
上記の課題を解決するため、本発明は以下の技術プランを採用する：多機能自撮り棒は、ハンドルを含み、前記ハンドルの中には四つのＬ型ブロックスライド溝が左右前後対称に設置され、前記Ｌ型ブロックスライド溝の下端壁にはＬ型引掛り溝が設置され、前記Ｌ型ブロックスライド溝のうち前記ハンドルの中心から離れた一端が外部と連通しており、前記ハンドルの左右前後には四つの位置制限溝が対称に設置され、前記位置制限溝と前記Ｌ型ブロックスライド溝にはそれぞれ四つの同じの支持装置が設置され、前記支持装置が支持棒を含み、前記支持装置が前記支持棒によって固定され、前記ハンドルの上端には連結棒が設置され、前記連結棒の中には伸縮溝が設置され、前記伸縮溝の下端壁にはねじ山溝が設置され、前記伸縮溝の中には伸縮装置が設置され、前記伸縮装置は伸縮棒を含み、前記伸縮装置の長さを前記伸縮棒により調節でき、前記伸縮棒の上端には固定装置が設置され、前記固定装置は右固定板と左固定板とを含み、前記固定装置は前記右固定板と前記左固定板とにより携帯を固定することで、撮影に便利を与え、前記左固定板の中には挟み板スライド溝が設置され、前記挟み板スライド溝の上端壁が外部と連通しており、前記挟みスライド溝の下端壁にはラックスライド溝が設置され、前記ラックスライド溝の下端壁には切換溝が設置され、前記切換溝の左端壁には外部と連通した押し棒スライド溝が設置され、前記切換溝の右端には長溝が設置され、前記長溝の右端壁には引掛りブロック引掛り溝が設置され、前記右固定板の中には前記引掛りブロック引掛り溝と連通できる引掛りブロックスライド溝が設置され、前記右固定板と前記左固定板の下端面には外部と連通したばねチャンバが設置されている。
【０００６】
優選的には、左方の前記支持装置を例として説明すれば、前記支持装置は前記ハンドルとスライド可能に連結されたヒンジ連結ブロックを含み、前記位置制限溝の中には前記ヒンジ連結ブロックと固定的に連結された位置制限ブロックがスライド可能に連結され、前記位置制限ブロックと前記位置制限溝の上端壁との間には位置制限ばねが連結され、前記ヒンジ連結ブロックの中にはヒンジ連結溝が設置され、前記ヒンジ連結溝の前後端壁にはヒンジ連結棒が回転可能に連結され、前記ヒンジ連結棒には固定棒が設置され、前記固定棒の中には支持棒溝が設置され、前記支持棒溝の間には連結溝が設置され、前記連結溝の左右端壁が外部と連通しており、前記支持棒と前記支持棒溝とがスライド可能に連結され、前記支持棒と前記支持棒溝の間には支持棒ばねが連結され、前記支持棒の中にはＬ型ブロックが設置され、前記Ｌ型ブロックは前記連結溝と、前記Ｌ型ブロックスライド溝と、前記Ｌ型ブロック引掛り溝とスライド可能に連結され、前記Ｌ型ブロックスライド溝の中には押し板がスライド可能に設置され、前記押し板と前記Ｌ型ブロックスライド溝の右端壁との間には押し板ばねが連結されている。
【０００７】
前記伸縮装置は移動リングを含み、前記移動リングと前記伸縮装置とがスライド可能に連結され、前記移動リングと前記伸縮溝の上端壁との間には移動ばねが連結され、前記移動リングと前記伸縮棒とが回転可能に連結され、前記伸縮棒の下端にはねじ山リングが設置され、前記ねじ山リングと前記ねじ山溝とがねじ山により連結され、前記連結棒の右端面には小電球が設置されている。
【０００８】
前記固定装置は回転軸を含み、前記回転軸と前記伸縮棒の前端面とが回転可能に連結され、前記回転軸と前記右固定板と前記左固定板とが回転可能に連結され、前記挟み板スライド溝の中には左挟み板がスライド可能に連結され、前記左挟み板の右端面には左座金が設置され、前記左挟み板と前記挟み板スライド溝の右端壁との間には挟み板ばねが連結され、前記ラックスライド溝の中には小ラックがスライド可能に連結され、前記切換溝の前後端壁には歯車軸が回転可能に連結され、前記歯車軸には前記小ラックと噛み合った歯車が設置され、前記押し棒スライド溝と、切換溝と前記長溝との中にはラック押し棒がスライド可能に連結され、前記ラック押し棒と前記歯車とが噛み合っており、前記ラック押し棒と前記切換溝の右端壁との間には復帰ばねが連結され、前記ラック押し棒が右に伸びて前記引掛りブロック引掛り溝の中に位置しており、前記引掛りブロックスライド溝の中には引掛りブロックがスライド可能に連結され、前記引掛りブロックと前記引掛りブロックスライド溝との間には引掛りブロックばねが連結され、前記右固定板の上端面には右挟み板は設置され、前記右挟み板の左端面には右座金が設置され、前記ばねチャンバの左右端には左ばね棒が対称的に設置され、前記左ばね棒の間には長ばねが連結されている。
【発明の効果】
【０００９】
本発明の有益効果は：本発明は携帯自撮り棒の伸縮機能と、照明機能と、固定機能と四脚固定機能を兼ね、自撮り棒の機能の多様性を保証し、実用度を上げる。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の多機能自撮り棒の全体断面の正面構造略図
【図２】図２は本発明の図１のＡの局部拡大図
【図３】図３は本発明の図１のＢ―Ｂ方向の断面図
【図４】図４は本発明の図１のヒンジ連結ブロックの左面内部構造図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜４を参照し、本発明の多機能自撮り棒は、ハンドル１００を含み、前記ハンドル１００の中には四つのＬ型ブロックスライド溝４３が左右前後対称に設置され、前記Ｌ型ブロックスライド溝４３の下端壁にはＬ型引掛り溝６７が設置され、前記Ｌ型ブロックスライド溝４３のうち前記ハンドル１００の中心から離れた一端が外部と連通しており、前記ハンドル１００の左右前後には四つの位置制限溝２６が対称に設置され、前記位置制限溝２６と前記Ｌ型ブロックスライド溝４３にはそれぞれ四つの同じの支持装置１０１が設置され、前記支持装置１０１が支持棒４０を含み、前記支持装置１０１が前記支持棒４０によって固定され、前記ハンドル１００の上端には連結棒２９が設置され、前記連結棒２９の中には伸縮溝３４が設置され、前記伸縮溝３４の下端壁にはねじ山溝３７が設置され、前記伸縮溝３４の中には伸縮装置１０２が設置され、前記伸縮装置１０２は伸縮棒３５を含み、前記伸縮装置１０２の長さを前記伸縮棒３５により調節でき、前記伸縮棒３５の上端には固定装置１０３が設置され、前記固定装置１０３は右固定板５７と左固定板４５とを含み、前記固定装置１０３は前記右固定板５７と前記左固定板４５とにより携帯６４を固定することで、撮影に便利を与え、前記左固定板４５の中には挟み板スライド溝４４が設置され、前記挟み板スライド溝４４の上端壁が外部と連通しており、前記挟みスライド溝４４の下端壁にはラックスライド溝６８が設置され、前記ラックスライド溝６８の下端壁には切換溝４６が設置され、前記切換溝４６の左端壁には外部と連通した押し棒スライド溝４８が設置され、前記切換溝４６の右端には長溝５４が設置され、前記長溝５４の右端壁には引掛りブロック引掛り溝６３が設置され、前記右固定板５７の中には前記引掛りブロック引掛り溝６３と連通できる引掛りブロックスライド溝６１が設置され、前記右固定板５７と前記左固定板４５の下端面には外部と連通したばねチャンバ６９が設置されている。
【００１４】
左方の前記支持装置１０１を例として説明すれば、前記支持装置１０１は前記ハンドル１００とスライド可能に連結されたヒンジ連結ブロック２７を含み、前記位置制限溝２６の中には前記ヒンジ連結ブロック２７と固定的に連結された位置制限ブロック２３がスライド可能に連結され、前記位置制限ブロック２３と前記位置制限溝２６の上端壁との間には位置制限ばね２８が連結され、前記ヒンジ連結ブロック２７の中にはヒンジ連結溝２５が設置され、前記ヒンジ連結溝２５の前後端壁にはヒンジ連結棒２４が回転可能に連結され、前記ヒンジ連結棒２４には固定棒７０が設置され、前記固定棒７０の中には支持棒溝３８が設置され、前記支持棒溝３８の間には連結溝４１が設置され、前記連結溝４１の左右端壁が外部と連通しており、前記支持棒４０と前記支持棒溝３８とがスライド可能に連結され、前記支持棒４０と前記支持棒溝３８の間には支持棒ばね３９が連結され、前記支持棒４０の中にはＬ型ブロック４２が設置され、前記Ｌ型ブロック４２は前記連結溝４１と、前記Ｌ型ブロックスライド溝４３と、前記Ｌ型ブロック引掛り溝６７とスライド可能に連結され、前記Ｌ型ブロックスライド溝４３の中には押し板２１がスライド可能に設置され、前記押し板２１と前記Ｌ型ブロックスライド溝４３の右端壁との間には押し板ばね２２が連結され、前記Ｌ型ブロック４２を上に引くことで、前記押し板２１により前記固定棒７０と前記Ｌ型ブロック４２とを左に押し、前記支持棒４０が前記支持棒溝３８から滑り出せば地上に固定できる。
【００１５】
前記伸縮装置１０２は移動リング３２を含み、前記移動リング３２と前記伸縮装置３４とがスライド可能に連結され、前記移動リング３２と前記伸縮溝３４の上端壁との間には移動ばね３３が連結され、前記移動リング３２と前記伸縮棒３５とが回転可能に連結され、前記伸縮棒３５の下端にはねじ山リング３１が設置され、前記ねじ山リング３１と前記ねじ山溝３７とがねじ山により連結され、前記連結棒２９の右端面には小電球３６が設置され、前記伸縮棒３５を回転させることで、前記ねじ山リング３１を前記ねじ山溝３７から回って出し、それから前記移動ばね３３により前記伸縮棒３５を弾き出す。
【００１６】
前記固定装置１０３は回転軸５６を含み、前記回転軸５６と前記伸縮棒３５の前端面とが回転可能に連結され、前記回転軸５６と前記右固定板５７と前記左固定板４５とが回転可能に連結され、前記挟み板スライド溝４４の中には左挟み板６６がスライド可能に連結され、前記左挟み板６６の右端面には左座金６５が設置され、前記左挟み板６６と前記挟み板スライド溝４４の右端壁との間には挟み板ばね７２が連結され、前記ラックスライド溝６８の中には小ラック５１がスライド可能に連結され、前記切換溝４６の前後端壁には歯車軸５０が回転可能に連結され、前記歯車軸５０には前記小ラック５１と噛み合った歯車４９が設置され、前記押し棒スライド溝４８と、切換溝４６と前記長溝５４との中にはラック押し棒４７がスライド可能に連結され、前記ラック押し棒４７と前記歯車４９とが噛み合っており、前記ラック押し棒４７と前記切換溝４６の右端壁との間には復帰ばね５２が連結され、前記ラック押し棒４７が右に伸びて前記引掛りブロック引掛り溝６３の中に位置しており、前記引掛りブロックスライド溝６１の中には引掛りブロック６２がスライド可能に連結され、前記引掛りブロック６２と前記引掛りブロックスライド溝６１との間には引掛りブロックばね６０が連結され、前記右固定板５７の上端面には右挟み板５８は設置され、前記右挟み板５８の左端面には右座金５９が設置され、前記ばねチャンバ６９の左右端には左ばね棒５３が対称的に設置され、前記左ばね棒５３の間には長ばね５５が連結され、前記長ばね５５が圧縮状態にある時、前記右固定板５７と前記左固定板４５とが一定の狭角になり、前記右固定板５７と前記左固定板４５の中心との連結した部分を下に押し、前記右固定板５７と前記左固定板４５とを平らにし、それから前記引掛りブロック６２を前記引掛りブロック引掛り溝６３の中に引っかからせ、前記ラック押し棒４７を左に押し、更に前記小ラック５１を下に移動させることで、前記左挟み板６６右に移動させて引っかかった状態から離脱させ、携帯を挟んで固定する。
【００１７】
使用する時、まず右固定板５７と左固定板４５の中心との連結した部分を下に押し、右固定板５７と左固定板４５とを平らにし、引掛りブロック６２が引掛りブロック引掛り溝６３の中に引掛り、ラック押し棒４７を左に突くことで、小ラック５１を下に移動させ、左挟み板６６を右に移動させ、携帯を挟んで固定し、そして伸縮棒３５を回転させることで、ねじ山リング３１をねじ山溝３７から離脱させ、伸縮棒３５が飛び出し、
照明する時、小電球３６を点け、サポートを要る時、四つのヒンジ連結ブロック２７を上に移動し、それによりＬ型ブロック４２をＬ型ブロック引掛り溝６７から離脱させ、それから押し板２１がＬ型ブロック４２と固定棒７０とをはじき出し、支持棒４０が連結溝４１から飛び出し、収まる時、Ｌ型ブロック４２を上げ、再びＬ型ブロック引掛り溝６７の中に引っかからせ、伸縮棒３５を収まる時、伸縮棒３５を極限まで下に押してねじって止め、携帯を取り出そうとする時、左挟み板６６を動かして携帯を取り出し、それから左挟み板６６を一番左まで引っ張り、ラック押し棒４７が右へ突き、小ラック５１を上に押して左挟み板６６を止め、引掛りブロック６２を引掛りブロック引掛り溝６３から突き出す。
【００１８】
本発明の有益効果は：本発明は携帯自撮り棒の伸縮機能と、照明機能と、固定機能と四脚固定機能を兼ね、自撮り棒の機能の多様性を保証し、実用度を上げる。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020177208.tif 000003
【図２】
2020177208.tif 000004
【図３】
2020177208.tif 000005
【図４】
2020177208.tif 000006
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
正面視で、ハンドルを含み、前記ハンドルの中には四つのＬ型ブロックスライド溝が左右前後対称に設置され、前記Ｌ型ブロックスライド溝の下端壁にはＬ型引掛り溝が設置され、前記Ｌ型ブロックスライド溝のうち前記ハンドルの中心から離れた一端が外部と連通しており、前記ハンドルの左右前後には四つの位置制限溝が対称に設置され、前記位置制限溝と前記Ｌ型ブロックスライド溝にはそれぞれ四つの同じの支持装置が設置され、前記支持装置が支持棒を含み、前記支持装置が前記支持棒によって固定され、前記ハンドルの上端には連結棒が設置され、前記連結棒の中には伸縮溝が設置され、前記伸縮溝の下端壁にはねじ山溝が設置され、前記伸縮溝の中には伸縮装置が設置され、前記伸縮装置は伸縮棒を含み、前記伸縮装置の長さを前記伸縮棒により調節でき、前記伸縮棒の上端には固定装置が設置され、前記固定装置は右固定板と左固定板とを含み、前記固定装置は前記右固定板と前記左固定板とにより携帯を固定することで、撮影に便利を与え、前記左固定板の中には挟み板スライド溝が設置され、前記挟み板スライド溝の上端壁が外部と連通しており、前記挟みスライド溝の下端壁にはラックスライド溝が設置され、前記ラックスライド溝の下端壁には切換溝が設置され、前記切換溝の左端壁には外部と連通した押し棒スライド溝が設置され、前記切換溝の右端には長溝が設置され、前記長溝の右端壁には引掛りブロック引掛り溝が設置され、前記右固定板の中には前記引掛りブロック引掛り溝と連通できる引掛りブロックスライド溝が設置され、前記右固定板と前記左固定板の下端面には外部と連通したばねチャンバが設置され、
前記支持装置は前記ハンドルとスライド可能に連結されたヒンジ連結ブロックを含み、前記位置制限溝の中には前記ヒンジ連結ブロックと固定的に連結された位置制限ブロックがスライド可能に連結され、前記位置制限ブロックと前記位置制限溝の上端壁との間には位置制限ばねが連結され、前記ヒンジ連結ブロックの中にはヒンジ連結溝が設置され、前記ヒンジ連結溝の前後端壁にはヒンジ連結棒が回転可能に連結され、前記ヒンジ連結棒には固定棒が設置され、前記固定棒の中には支持棒溝が設置され、前記支持棒溝の間には連結溝が設置され、前記連結溝の左右端壁が外部と連通しており、前記支持棒と前記支持棒溝とがスライド可能に連結され、前記支持棒と前記支持棒溝の間には支持棒ばねが連結され、前記支持棒の中にはＬ型ブロックが設置され、前記Ｌ型ブロックは前記連結溝と、前記Ｌ型ブロックスライド溝と、前記Ｌ型ブロック引掛り溝とスライド可能に連結され、前記Ｌ型ブロックスライド溝の中には押し板がスライド可能に設置され、前記押し板と前記Ｌ型ブロックスライド溝の右端壁との間には押し板ばねが連結され、
前記伸縮装置は移動リングを含み、前記移動リングと前記伸縮装置とがスライド可能に連結され、前記移動リングと前記伸縮溝の上端壁との間には移動ばねが連結され、前記移動リングと前記伸縮棒とが回転可能に連結され、前記伸縮棒の下端にはねじ山リングが設置され、前記ねじ山リングと前記ねじ山溝とがねじ山により連結され、前記連結棒の右端面には小電球が設置され、
前記固定装置は回転軸を含み、前記回転軸と前記伸縮棒の前端面とが回転可能に連結され、前記回転軸と前記右固定板と前記左固定板とが回転可能に連結され、前記挟み板スライド溝の中には左挟み板がスライド可能に連結され、前記左挟み板の右端面には左座金が設置され、前記左挟み板と前記挟み板スライド溝の右端壁との間には挟み板ばねが連結され、前記ラックスライド溝の中には小ラックがスライド可能に連結され、前記切換溝の前後端壁には歯車軸が回転可能に連結され、前記歯車軸には前記小ラックと噛み合った歯車が設置され、前記押し棒スライド溝と、切換溝と前記長溝との中にはラック押し棒がスライド可能に連結され、前記ラック押し棒と前記歯車とが噛み合っており、前記ラック押し棒と前記切換溝の右端壁との間には復帰ばねが連結され、前記ラック押し棒が右に伸びて前記引掛りブロック引掛り溝の中に位置しており、前記引掛りブロックスライド溝の中には引掛りブロックがスライド可能に連結され、前記引掛りブロックと前記引掛りブロックスライド溝との間には引掛りブロックばねが連結され、前記右固定板の上端面には右挟み板は設置され、前記右挟み板の左端面には右座金が設置され、前記ばねチャンバの左右端には左ばね棒が対称的に設置され、前記左ばね棒の間には長ばねが連結されていることを特徴とする多機能自撮り棒。
【手続補正２】
【補正対象書類名】明細書
【補正対象項目名】全文
【補正方法】変更
【補正の内容】
【発明の詳細な説明】
【技術分野】
【０００１】
本発明は撮影分野に関し、具体的には多機能自撮り棒に関する。
【背景技術】
【０００２】
自撮り棒の登場で、他人の手を借りなくても自分で写真を撮られる。しかし伝統的な自撮り棒は機能が単一で、撮影しかできなく、三脚として使えない上に、携帯の固定も手数がかかるだけではなく、固定効果も悪く、しかも暗い環境で自撮りできないのである。
【先行技術文献】
【特許文献】
【０００３】
【特許文献１】中国特許出願公開第１０５４９１２９８号明細書
【発明の概要】
【発明が解決しようとする課題】
【０００４】
本発明の目的は多機能自撮り棒を提供し、それは上記の現在の技術中の問題を解決できる。
【課題を解決するための手段】
【０００５】
上記の課題を解決するため、本発明は以下の技術プランを採用する：多機能自撮り棒は、ハンドルを含み、前記ハンドルの中には四つのＬ型ブロックスライド溝が左右前後対称に設置され、前記Ｌ型ブロックスライド溝の下端壁にはＬ型引掛り溝が設置され、前記Ｌ型ブロックスライド溝のうち前記ハンドルの中心から離れた一端が外部と連通しており、前記ハンドルの左右前後には四つの位置制限溝が対称に設置され、前記位置制限溝と前記Ｌ型ブロックスライド溝にはそれぞれ四つの同じの支持装置が設置され、前記支持装置が支持棒を含み、前記支持装置が前記支持棒によって固定され、前記ハンドルの上端には連結棒が設置され、前記連結棒の中には伸縮溝が設置され、前記伸縮溝の下端壁にはねじ山溝が設置され、前記伸縮溝の中には伸縮装置が設置され、前記伸縮装置は伸縮棒を含み、前記伸縮装置の長さを前記伸縮棒により調節でき、前記伸縮棒の上端には固定装置が設置され、前記固定装置は右固定板と左固定板とを含み、前記固定装置は前記右固定板と前記左固定板とにより携帯を固定することで、撮影に便利を与え、前記左固定板の中には挟み板スライド溝が設置され、前記挟み板スライド溝の上端壁が外部と連通しており、前記挟みスライド溝の下端壁にはラックスライド溝が設置され、前記ラックスライド溝の下端壁には切換溝が設置され、前記切換溝の左端壁には外部と連通した押し棒スライド溝が設置され、前記切換溝の右端には長溝が設置され、前記長溝の右端壁には引掛りブロック引掛り溝が設置され、前記右固定板の中には前記引掛りブロック引掛り溝と連通できる引掛りブロックスライド溝が設置され、前記右固定板と前記左固定板の下端面には外部と連通したばねチャンバが設置されている。
【０００６】
優選的には、前記支持装置は前記ハンドルとスライド可能に連結されたヒンジ連結ブロックを含み、前記位置制限溝の中には前記ヒンジ連結ブロックと固定的に連結された位置制限ブロックがスライド可能に連結され、前記位置制限ブロックと前記位置制限溝の上端壁との間には位置制限ばねが連結され、前記ヒンジ連結ブロックの中にはヒンジ連結溝が設置され、前記ヒンジ連結溝の前後端壁にはヒンジ連結棒が回転可能に連結され、前記ヒンジ連結棒には固定棒が設置され、前記固定棒の中には支持棒溝が設置され、前記支持棒溝の間には連結溝が設置され、前記連結溝の左右端壁が外部と連通しており、前記支持棒と前記支持棒溝とがスライド可能に連結され、前記支持棒と前記支持棒溝の間には支持棒ばねが連結され、前記支持棒の中にはＬ型ブロックが設置され、前記Ｌ型ブロックは前記連結溝と、前記Ｌ型ブロックスライド溝と、前記Ｌ型ブロック引掛り溝とスライド可能に連結され、前記Ｌ型ブロックスライド溝の中には押し板がスライド可能に設置され、前記押し板と前記Ｌ型ブロックスライド溝の右端壁との間には押し板ばねが連結されている。
【０００７】
前記伸縮装置は移動リングを含み、前記移動リングと前記伸縮装置とがスライド可能に連結され、前記移動リングと前記伸縮溝の上端壁との間には移動ばねが連結され、前記移動リングと前記伸縮棒とが回転可能に連結され、前記伸縮棒の下端にはねじ山リングが設置され、前記ねじ山リングと前記ねじ山溝とがねじ山により連結され、前記連結棒の右端面には小電球が設置されている。
【０００８】
前記固定装置は回転軸を含み、前記回転軸と前記伸縮棒の前端面とが回転可能に連結され、前記回転軸と前記右固定板と前記左固定板とが回転可能に連結され、前記挟み板スライド溝の中には左挟み板がスライド可能に連結され、前記左挟み板の右端面には左座金が設置され、前記左挟み板と前記挟み板スライド溝の右端壁との間には挟み板ばねが連結され、前記ラックスライド溝の中には小ラックがスライド可能に連結され、前記切換溝の前後端壁には歯車軸が回転可能に連結され、前記歯車軸には前記小ラックと噛み合った歯車が設置され、前記押し棒スライド溝と、切換溝と前記長溝との中にはラック押し棒がスライド可能に連結され、前記ラック押し棒と前記歯車とが噛み合っており、前記ラック押し棒と前記切換溝の右端壁との間には復帰ばねが連結され、前記ラック押し棒が右に伸びて前記引掛りブロック引掛り溝の中に位置しており、前記引掛りブロックスライド溝の中には引掛りブロックがスライド可能に連結され、前記引掛りブロックと前記引掛りブロックスライド溝との間には引掛りブロックばねが連結され、前記右固定板の上端面には右挟み板は設置され、前記右挟み板の左端面には右座金が設置され、前記ばねチャンバの左右端には左ばね棒が対称的に設置され、前記左ばね棒の間には長ばねが連結されている。
【発明の効果】
【０００９】
本発明の有益効果は：本発明は携帯自撮り棒の伸縮機能と、照明機能と、固定機能と四脚固定機能を兼ね、自撮り棒の機能の多様性を保証し、実用度を上げる。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の多機能自撮り棒の全体断面の正面構造略図
【図２】図２は本発明の図１のＡの局部拡大図
【図３】図３は本発明の図１のＢ―Ｂ方向の断面図
【図４】図４は本発明の図１のヒンジ連結ブロックの左面内部構造図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１〜４を参照し、本発明の多機能自撮り棒は、ハンドル１００を含み、前記ハンドル１００の中には四つのＬ型ブロックスライド溝４３が左右前後対称に設置され、前記Ｌ型ブロックスライド溝４３の下端壁にはＬ型引掛り溝６７が設置され、前記Ｌ型ブロックスライド溝４３のうち前記ハンドル１００の中心から離れた一端が外部と連通しており、前記ハンドル１００の左右前後には四つの位置制限溝２６が対称に設置され、前記位置制限溝２６と前記Ｌ型ブロックスライド溝４３にはそれぞれ四つの同じの支持装置１０１が設置され、前記支持装置１０１が支持棒４０を含み、前記支持装置１０１が前記支持棒４０によって固定され、前記ハンドル１００の上端には連結棒２９が設置され、前記連結棒２９の中には伸縮溝３４が設置され、前記伸縮溝３４の下端壁にはねじ山溝３７が設置され、前記伸縮溝３４の中には伸縮装置１０２が設置され、前記伸縮装置１０２は伸縮棒３５を含み、前記伸縮装置１０２の長さを前記伸縮棒３５により調節でき、前記伸縮棒３５の上端には固定装置１０３が設置され、前記固定装置１０３は右固定板５７と左固定板４５とを含み、前記固定装置１０３は前記右固定板５７と前記左固定板４５とにより携帯６４を固定することで、撮影に便利を与え、前記左固定板４５の中には挟み板スライド溝４４が設置され、前記挟み板スライド溝４４の上端壁が外部と連通しており、前記挟みスライド溝４４の下端壁にはラックスライド溝６８が設置され、前記ラックスライド溝６８の下端壁には切換溝４６が設置され、前記切換溝４６の左端壁には外部と連通した押し棒スライド溝４８が設置され、前記切換溝４６の右端には長溝５４が設置され、前記長溝５４の右端壁には引掛りブロック引掛り溝６３が設置され、前記右固定板５７の中には前記引掛りブロック引掛り溝６３と連通できる引掛りブロックスライド溝６１が設置され、前記右固定板５７と前記左固定板４５の下端面には外部と連通したばねチャンバ６９が設置されている。
【００１４】
前記支持装置１０１は前記ハンドル１００とスライド可能に連結されたヒンジ連結ブロック２７を含み、前記位置制限溝２６の中には前記ヒンジ連結ブロック２７と固定的に連結された位置制限ブロック２３がスライド可能に連結され、前記位置制限ブロック２３と前記位置制限溝２６の上端壁との間には位置制限ばね２８が連結され、前記ヒンジ連結ブロック２７の中にはヒンジ連結溝２５が設置され、前記ヒンジ連結溝２５の前後端壁にはヒンジ連結棒２４が回転可能に連結され、前記ヒンジ連結棒２４には固定棒７０が設置され、前記固定棒７０の中には支持棒溝３８が設置され、前記支持棒溝３８の間には連結溝４１が設置され、前記連結溝４１の左右端壁が外部と連通しており、前記支持棒４０と前記支持棒溝３８とがスライド可能に連結され、前記支持棒４０と前記支持棒溝３８の間には支持棒ばね３９が連結され、前記支持棒４０の中にはＬ型ブロック４２が設置され、前記Ｌ型ブロック４２は前記連結溝４１と、前記Ｌ型ブロックスライド溝４３と、前記Ｌ型ブロック引掛り溝６７とスライド可能に連結され、前記Ｌ型ブロックスライド溝４３の中には押し板２１がスライド可能に設置され、前記押し板２１と前記Ｌ型ブロックスライド溝４３の右端壁との間には押し板ばね２２が連結され、前記Ｌ型ブロック４２を上に引くことで、前記押し板２１により前記固定棒７０と前記Ｌ型ブロック４２とを左に押し、前記支持棒４０が前記支持棒溝３８から滑り出せば地上に固定できる。
【００１５】
前記伸縮装置１０２は移動リング３２を含み、前記移動リング３２と前記伸縮装置３４とがスライド可能に連結され、前記移動リング３２と前記伸縮溝３４の上端壁との間には移動ばね３３が連結され、前記移動リング３２と前記伸縮棒３５とが回転可能に連結され、前記伸縮棒３５の下端にはねじ山リング３１が設置され、前記ねじ山リング３１と前記ねじ山溝３７とがねじ山により連結され、前記連結棒２９の右端面には小電球３６が設置され、前記伸縮棒３５を回転させることで、前記ねじ山リング３１を前記ねじ山溝３７から回って出し、それから前記移動ばね３３により前記伸縮棒３５を弾き出す。
【００１６】
前記固定装置１０３は回転軸５６を含み、前記回転軸５６と前記伸縮棒３５の前端面とが回転可能に連結され、前記回転軸５６と前記右固定板５７と前記左固定板４５とが回転可能に連結され、前記挟み板スライド溝４４の中には左挟み板６６がスライド可能に連結され、前記左挟み板６６の右端面には左座金６５が設置され、前記左挟み板６６と前記挟み板スライド溝４４の右端壁との間には挟み板ばね７２が連結され、前記ラックスライド溝６８の中には小ラック５１がスライド可能に連結され、前記切換溝４６の前後端壁には歯車軸５０が回転可能に連結され、前記歯車軸５０には前記小ラック５１と噛み合った歯車４９が設置され、前記押し棒スライド溝４８と、切換溝４６と前記長溝５４との中にはラック押し棒４７がスライド可能に連結され、前記ラック押し棒４７と前記歯車４９とが噛み合っており、前記ラック押し棒４７と前記切換溝４６の右端壁との間には復帰ばね５２が連結され、前記ラック押し棒４７が右に伸びて前記引掛りブロック引掛り溝６３の中に位置しており、前記引掛りブロックスライド溝６１の中には引掛りブロック６２がスライド可能に連結され、前記引掛りブロック６２と前記引掛りブロックスライド溝６１との間には引掛りブロックばね６０が連結され、前記右固定板５７の上端面には右挟み板５８は設置され、前記右挟み板５８の左端面には右座金５９が設置され、前記ばねチャンバ６９の左右端には左ばね棒５３が対称的に設置され、前記左ばね棒５３の間には長ばね５５が連結され、前記長ばね５５が圧縮状態にある時、前記右固定板５７と前記左固定板４５とが一定の狭角になり、前記右固定板５７と前記左固定板４５の中心との連結した部分を下に押し、前記右固定板５７と前記左固定板４５とを平らにし、それから前記引掛りブロック６２を前記引掛りブロック引掛り溝６３の中に引っかからせ、前記ラック押し棒４７を左に押し、更に前記小ラック５１を下に移動させることで、前記左挟み板６６右に移動させて引っかかった状態から離脱させ、携帯を挟んで固定する。
【００１７】
使用する時、まず右固定板５７と左固定板４５の中心との連結した部分を下に押し、右固定板５７と左固定板４５とを平らにし、引掛りブロック６２が引掛りブロック引掛り溝６３の中に引掛り、ラック押し棒４７を左に突くことで、小ラック５１を下に移動させ、左挟み板６６を右に移動させ、携帯を挟んで固定し、そして伸縮棒３５を回転させることで、ねじ山リング３１をねじ山溝３７から離脱させ、伸縮棒３５が飛び出し、照明する時、小電球３６を点け、サポートを要る時、四つのヒンジ連結ブロック２７を上に移動し、それによりＬ型ブロック４２をＬ型ブロック引掛り溝６７から離脱させ、それから押し板２１がＬ型ブロック４２と固定棒７０とをはじき出し、支持棒４０が連結溝４１から飛び出し、収まる時、Ｌ型ブロック４２を上げ、再びＬ型ブロック引掛り溝６７の中に引っかからせ、伸縮棒３５を収まる時、伸縮棒３５を極限まで下に押してねじって止め、携帯を取り出そうとする時、左挟み板６６を動かして携帯を取り出し、それから左挟み板６６を一番左まで引っ張り、ラック押し棒４７が右へ突き、小ラック５１を上に押して左挟み板６６を止め、引掛りブロック６２を引掛りブロック引掛り溝６３から突き出す。
【００１８】
本発明の有益効果は：本発明は携帯自撮り棒の伸縮機能と、照明機能と、固定機能と四脚固定機能を兼ね、自撮り棒の機能の多様性を保証し、実用度を上げる。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。